(57)【要約】【課題】本発明が解決しようとする課題は、精算済みの商品に対してゲートが反応しないようにする商品情報入力装置、ゲート装置、システムおよびプログラムを提供することである。【解決手段】実施形態のゲート装置は、情報の読出し書込み可能なＲＦＩＤから情報を受信する情報受信手段と、前記情報受信手段が受信した情報に商品が精算済であることを示す精算情報が含まれていないと判断した場合に、その旨を報知する報知手段と、を備える。【選択図】図１４
2015125755.tif 000002
【特許請求の範囲】
【請求項１】
商品を特定する商品情報の入力の有無を判断する商品情報入力判断手段と、
前記商品情報入力判断手段が商品情報の入力有りを判断した場合に、当該商品に貼付されている情報の読出し書込み可能なＲＦＩＤに対して、当該商品が精算されたことを示す精算情報を送信する精算情報送信手段と、
を備えた商品情報入力装置。
【請求項２】
前記精算情報送信手段は、前記精算情報を、自店舗を示す自店舗情報を予め記憶したＲＦＩＤの前記自店舗情報に上書きされるように送信する、
請求項１に記載の商品情報入力装置。
【請求項３】
コンピュータに、
商品を特定する商品情報の入力の有無を判断する商品情報入力判断手段と、
前記商品情報入力判断手段が商品情報の入力有りを判断した場合に、当該商品に貼付されている情報の読出し書込み可能なＲＦＩＤに対して、当該商品が精算されたことを示す精算情報を送信する精算情報送信手段と、
を実現させるためのプログラム。
【請求項４】
情報の読出し書込み可能なＲＦＩＤから情報を受信する情報受信手段と、
前記情報受信手段が受信した情報に商品が精算済であることを示す精算情報が含まれていないと判断した場合に、その旨を報知する報知手段と、
を備えた退場検出装置。
【請求項５】
前記報知手段は、前記情報受信手段が受信した情報に自店舗を示す自店舗情報が含まれている場合に、前記報知を実行する、
請求項４に記載の退場検出装置。
【請求項６】
商品を特定する商品情報を入力する商品情報入力装置と、未精算商品を管理する退場検出装置とを備えたシステムであって、
前記商品情報入力装置は、
商品を特定する商品情報の入力の有無を判断する商品情報入力判断手段と、
前記商品情報入力判断手段が商品情報の入力有りを判断した場合に、当該商品に貼付されている情報の読出し書込み可能なＲＦＩＤに対して、当該商品が精算されたことを示す精算情報を送信する精算情報送信手段と、
を備え、
前記退場検出装置は、
前記ＲＦＩＤから情報を受信する情報受信手段と、
前記情報受信手段が受信した情報に商品が精算済であることを示す精算情報が含まれていないと判断した場合に、その旨を報知する報知手段と、
を備えたシステム。
【発明の詳細な説明】
【技術分野】
【０００１】
本発明の実施形態は、商品情報入力装置、退場検出装置、システムおよびプログラムに関する。
【背景技術】
【０００２】
スーパーマーケットやドラッグストア等の店舗では、商品の盗難防止のために、商品にＩＣ（Integrated  Circuit）タグを貼付した仕組みを導入するところが増加している。この仕組みによれば、精算した商品に貼付されたＩＣタグは、強い電磁波等を照射して破壊するため、出口に設置されたゲートは反応しない。これに対して未精算の商品に貼付されたＩＣタグは破壊されておらず、依然としてゲートが反応するため、出口に設置されたゲートがＩＣタグに反応してブザーを鳴らすようになっている。
【０００３】
ところが、精算時にＩＣタグを完全に破壊できない等の理由で、依然としてＩＣタグが使用可能である場合、精算済みの商品であってもゲートが反応することがある。また他店で精算済みの商品を持ち込んだ場合もゲートが反応する場合がある。このような、精算済みの商品に対してゲートが反応することは、顧客に多大な迷惑を与えるとともに、店舗の信用失墜につながり問題となっている。
【発明の概要】
【発明が解決しようとする課題】
【０００４】
本発明が解決しようとする課題は、精算済みの商品に対してゲートが反応しないようにする商品情報入力装置、退場検出装置、システムおよびプログラムを提供することである。
【課題を解決するための手段】
【０００５】
実施形態の商品情報入力装置は、商品を特定する商品情報の入力の有無を判断する商品情報入力判断手段と、前記商品情報入力判断手段が商品情報の入力有りを判断した場合に、当該商品に貼付されている情報の読出し書込み可能なＲＦＩＤに対して、当該商品が精算されたことを示す精算情報を送信する精算情報送信手段と、を備える。
【０００６】
実施形態のプログラムは、コンピュータに、商品を特定する商品情報の入力の有無を判断する商品情報入力判断手段と、前記商品情報入力判断手段が商品情報の入力有りを判断した場合に、当該商品に貼付されている情報の読出し書込み可能なＲＦＩＤに対して、当該商品が精算されたことを示す精算情報を送信する精算情報送信手段と、を実現させる。
【０００７】
実施形態の退場検出装置は、情報の読出し書込み可能なＲＦＩＤから情報を受信する情報受信手段と、前記情報受信手段が受信した情報に商品が精算済であることを示す精算情報が含まれていないと判断した場合に、その旨を報知する報知手段と、を備える。
【０００８】
実施形態のシステムは、商品を特定する商品情報を入力する商品情報入力装置と、未精算商品を管理する退場検出装置とを備えたシステムであって、前記商品情報入力装置は、商品を特定する商品情報の入力の有無を判断する商品情報入力判断手段と、前記商品情報入力判断手段が商品情報の入力有りを判断した場合に、当該商品に貼付されている情報の読出し書込み可能なＲＦＩＤに対して、当該商品が精算されたことを示す精算情報を送信する精算情報送信手段と、を備え、前記退場検出装置は、前記ＲＦＩＤから情報を受信する情報受信手段と、前記情報受信手段が受信した情報に商品が精算済であることを示す精算情報が含まれていないと判断した場合に、その旨を報知する報知手段と、を備える。
【図面の簡単な説明】
【０００９】
【図１】図１は、店舗のレイアウトを示す平面図である。
【図２】図２は、実施形態のシステムを示す図である。
【図３】図３は、スキャナ装置およびＰＯＳ端末の斜視図である。
【図４】図４は、スキャナ装置のハードウェア構成を示すブロック図である。
【図５】図５は、スキャナ装置の機能構成を示す機能ブロック図である。
【図６】図６は、スキャナ装置の制御処理の流れを示すフローチャートである。
【図７】図７は、ＲＦＩＤのメモリを示す模式図である。
【図８】図８は、ＰＯＳ端末のハードウェア構成を示すブロック図である。
【図９】図９は、ＰＯＳ端末の商品マスタを示す模式図である。
【図１０】図１０は、ＰＯＳ端末の制御処理の流れを示すフローチャートである。
【図１１】図１１は、ゲート装置を示す斜視図である。
【図１２】図１２は、ゲート装置のハードウェア構成を示すブロック図である。
【図１３】図１３は、ゲート装置の機能構成を示す機能ブロック図である。
【図１４】図１４は、ゲート装置の制御処理を示すフローチャートである。
【図１５】図１５は、退場検出装置としてのマットを示す斜視図である。
【発明を実施するための形態】
【００１０】
以下、図面を参照して一実施形態について説明する。実施形態は、商品情入力取装置、退場検出装置、システムおよびプログラムの一実施形態であって、その構成や仕様等を限定するものではない。実施形態は、商品情入力取装置の一例としてスキャナ装置とする。実施形態は、退場検出装置の一例としてゲート装置とする。
【００１１】
まず、図１を用いて、店舗のレイアウトについて説明する。店舗Ｔには、商品Ｍを陳列するための棚Ｓが設置されている。商品Ｍは棚Ｓに陳列されている。また、店舗Ｔには、複数台のスキャナ装置１とＰＯＳ端末２のペアが設置されている。また、店舗Ｔのバックヤードには、ＳＣ（ストアコンピュータ）６が設置されている。また、店舗Ｔの出口には、退場検出装置の一例であるゲート装置７が設置されている。
【００１２】
スキャナ装置１は、商品に付されたバーコードや２次元コード等（実施形態では、以降バーコードを例として説明する）に含まれる商品情報である商品コードを読み取る。ＰＯＳ端末２は、スキャナ装置１が読み取った商品コードに対応して商品登録処理を含む決済処理を実行する。ＳＣ６は、ＰＯＳ端末２から商品情報や決済情報を収集して管理する。
【００１３】
顧客Ｐは、店舗Ｔの入口から矢印Ｙ１の方向に入店する。入店した顧客Ｐは、棚Ｓに陳列された商品Ｍから希望する商品Ｍをカゴに入れる。次に顧客Ｐは、商品が入ったカゴを持ってスキャナ装置１の場所に移動する。スキャナ装置１には店員が配置されており、顧客Ｐがカゴに入れた商品Ｍに付されたバーコード等をスキャナ装置１で読取り、スキャナ装置１に商品コードを入力する。店員による小計キーの操作があると、スキャナ装置１は、入力された商品コードをＰＯＳ端末２に送信する。ＰＯＳ端末２は、受信した商品コードに基づいて決済処理および商品登録処理を実行する。顧客Ｐは、決済が終了した商品Ｍを袋詰めして出口から矢印Ｙ２の方向に退出する。退出する際、顧客ＯＰはゲート装置７を通過する。
【００１４】
図２は、実施形態のシステムを示す図である。図２において、スキャナ装置１とＰＯＳ端末２とＳＣ６とゲート装置７は、互いにＬＡＮ（Local  Area  Network）８で接続されている。またスキャナ装置１とＰＯＳ端末２とは、互いに専用回線９で接続されている。
【００１５】
図３は、スキャナ装置１とＰＯＳ端末２の配置関係を表す斜視図である。図３において、スキャナ装置１は、縦長のサッカー台３の略中央部に設置されている。スキャナ装置１は、上部に、操作部１１、店員用表示部１２、顧客用表示部１３を備えている。またスキャナ装置１は、中段部に、バーコード読取部１４を備えている。また、スキャナ装置１は、バーコード読取部１４の直下部近傍に、第１のＲＦＩＤ（Radio  Frequency  Identification）リーダライタ１５を備えている。
【００１６】
操作部１１は、数字を置数する置数キー、一顧客に対する取引の締めを宣言する小計キー、および種々のファンクションキー等を備えたキーボードを含む。店員用表示部１２は、店員に向けて設置され、店員用の表示をする。顧客用表示部１３は、顧客に向けて設置され、顧客用の表示をする。バーコード読取部１４は、スキャナ装置１の立設面部に店員に向けて設置されており、バーコードで反射した光を受光してバーコードを読み取る。第１のＲＦＩＤリーダライタ１５は、スキャナ装置１の立設面部に店員に向けて設置されており、バーコード読取部１４を通過した商品に付されたＲＦＩＤ４１に対して情報を書き込むために、ＲＦＩＤ４１に向けて精算済情報を送信する。
【００１７】
サッカー台３は、ＲＦＩＤ４１が貼付された商品Ｍが収納されたカゴ６ａとバーコード読取部１４でバーコードを読み取った商品Ｍを収納するカゴ６ｂを載置可能である。図３において、カゴ６ａはスキャナ装置１の右側に載置される。また、カゴ６ｂはスキャナ装置１の左側に載置される。
【００１８】
店員は、カゴ６ａから商品Ｍを取り出し、バーコード読取部１４の位置にバーコードをかざす。すると、バーコード読取部１４はバーコードを読み取る。また、第１のＲＦＩＤリーダライタ１５がＲＦＩＤ４１に向けて情報を送信する。その後、店員は、商品Ｍをカゴ６ｂに収納する。
【００１９】
スキャナ装置１は、タッチスキャナ１６を備えている。タッチスキャナ１６は、大きな商品や重い商品のバーコードを読むときに、バーコード読取部１４に代わって使用される。タッチスキャナ１６は、操作ボタン１７１を備えており、この操作ボタン１７１を押下したときに内蔵されている光源が発光してバーコードを読み取る。また、タッチスキャナ１６は、第２のＲＦＩＤリーダライタ１７を備えている。第２のＲＦＩＤリーダライタ１７は、タッチスキャナ１６の光源が発光したタイミングで、バーコードが読み取られた商品に貼付されたＲＦＩＤ４１に対して情報を送信する。
【００２０】
サッカー台３の下流側の位置には、ＰＯＳ端末２が、操作面を店員側に向けて備えられている。ＰＯＳ端末２は、操作部２１、店員用表示部２２、顧客用表示部２３、印字部２４等が備えられている。
【００２１】
操作部２１は、店員に向けて設置されており、締めキーを含む各種キーが設けられたキーボードを含む。店員用表示部２２は、店員に向けられており、商品情報や決済情報等の店員用の表示を行う。顧客用表示部２３は、顧客に向けられており、商品情報や決済情報等の顧客用の表示を行う。印字部２４は、決済処理された商品の商品情報や決済情報等をレシート用紙に印字し、レシートとして発行する。
【００２２】
次に、図４のブロック図を用いて、スキャナ装置１のハードウェア構成を説明する。図４において、スキャナ装置１は、各部を制御するための制御部１００を備えている。制御部１００は、各部を集中的に制御するＣＰＵ１１１に、アドレスバス、データバス等のバスライン１１５を介して、ＲＯＭ１１２と、ＲＡＭ１１３を接続して構成されている。また、制御部１００は、バスライン１１５を介して、メモリ部１１４とコントローラ１１６を接続している。制御部１００は、ＣＰＵ１１１が、メモリ部１１４に記憶されＲＡＭ１１３に展開された制御プログラム１１４ａに従って動作することによって、後述する制御処理を実行する。
【００２３】
メモリ部１１４は、電源を切っても記憶情報が保持されるＨＤＤ（Hard  Disk  Drive）やフラッシュメモリ等の不揮発性メモリで構成されており、制御プログラム１１４ａを含むプログラム等を記憶する。
【００２４】
コントローラ１１６は、操作部１１、店員用表示部１２、顧客用表示部１３、バーコード読取部１４、第１のＲＦＩＤリーダライタ１５、タッチスキャナ１６、第２のＲＦＩＤリーダライタ１７、報知部１８を接続している。コントローラ１１６は、制御部１００からの種々の指示に基づいて、操作部１１、店員用表示部１２、顧客用表示部１３、バーコード読取部１４、第１のＲＦＩＤリーダライタ１５、タッチスキャナ１６、第２のＲＦＩＤリーダライタ１７、報知部１８を制御する。
【００２５】
報知部１８は、商品コードが正しく読み取られた場合、また読取に失敗した場合、第１のＲＦＩＤリーダライタ１５や第２のＲＦＩＤリーダライタ１７によって、情報がＲＦＩＤ４１に正しく書き込まれた場合等に、それぞれ店員に報知するためのブザーを鳴らす。
【００２６】
また、制御部１００は、バスライン１１５を介して、ＬＡＮＩ／Ｆ１１７を接続している。ＬＡＮＩ／Ｆ１１７は、ＬＡＮ８を介してＰＯＳ端末２、ゲート装置７、店舗Ｔのバックヤードに設置されたＳＣ６等と接続している。ＰＯＳ端末２は、売り上げられた商品情報を、ＬＡＮ８を介してＳＣ６に送信する。ＳＣ６は、受信した商品情報を管理する。
【００２７】
また、制御部１００は、バスライン１１５を介して、専用回線Ｉ／Ｆ１１８を接続している。専用回線Ｉ／Ｆ１１８は専用回線９を介して、ＰＯＳ端末２と接続している。
【００２８】
次に、図５と図６を用いて、実施形態のスキャナ装置１の制御処理について説明する。図５は、スキャナ装置１の機能構成を示す機能ブロック図である。スキャナ装置１の制御部１００は、ＣＰＵ１１１がメモリ部１１４に記憶された制御プログラム１１４ａ等のプログラムに従い動作することで、商品情報入力判断手段１０１、精算情報送信手段１０２を実現する。
【００２９】
商品情報入力判断手段１０１は、商品を特定する商品情報の入力の有無を判断する機能を有する。
【００３０】
精算情報送信手段１０２は、商品情報入力判断手段１０１が商品情報の入力有りを判断した場合に、当該商品に貼付されている情報の読出し書込み可能なＲＦＩＤ４１に対して、当該商品が精算されたことを示す精算情報を送信する機能を有する。
【００３１】
図６は、スキャナ装置１の制御処理の流れを示すフローチャートである。図６において、制御部１００は、バーコード読取部１４またはタッチスキャナ１６によってバーコードが読み取られることで商品コードの入力があったか否かを判断する（ステップＳ１１）。あったと判断した場合は（ステップＳ１１のＹｅｓ）、制御部１００は、図９で後述するＰＯＳ端末２に記憶された商品マスタ２１４ｂを参照して、入力された商品コードの商品がＲＦＩＤ４１による管理商品であるか否かを判断する（ステップＳ１２）。ＲＦＩＤ４１による管理商品とは、当該商品にＲＦＩＤ４１を貼付して、ゲート装置７によって盗難防止を管理する商品である。一般的に、高額な商品、盗難に遭い易い商品を管理商品とし、安価な商品、重い商品、ＲＦＩＤ４１を貼付困難な商品は管理商品としない。なお、商品マスタ２１４ｂは、ＳＣ６に記憶されていてもよい。
【００３２】
入力された商品コードの商品がＲＦＩＤ４１による管理商品であると判断した場合（ステップＳ１２のＹｅｓ）、制御部１００は、第１のＲＦＩＤリーダライタ１５または第２のＲＦＩＤリーダライタ１７を駆動して、ＲＦＩＤ４１に対して信号を送信し、商品コードが入力された商品にＲＦＩＤ４１が貼付されているか否かを問合せる（ステップＳ１３）。ＲＦＩＤ４１が貼付されていれば応答信号がＲＦＩＤ４１から出力され、貼付されていない場合は応答信号はＲＦＩＤ４１から出力されない。
【００３３】
制御部１００は、ＲＦＩＤ４１からの応答信号を受信することによってＲＦＩＤ４１を検知する。制御部１００は、ＲＦＩＤ４１を検知したか否かを判断する（ステップＳ１４）。検知したと判断した場合は（ステップＳ１４のＹｅｓ）、制御部１００は、当該ＲＦＩＤ４１に対し、企業コード部４１２に記憶された企業コードを精算済を示す精算情報に書き換えるようにアドレスを指定して、当該ＲＦＩＤ４１が貼付された商品が精算済であることを示す精算情報を送信する（ステップＳ１５）。
【００３４】
ここで、図７を用いて、ＲＦＩＤ４１のメモリ構造について説明する。図７において、ＲＦＩＤ４１は、ヘッダー部４１１、企業コード部４１２、商品コード部４１３、Ｃ／Ｄ部（チェックデジット）４１４の記憶エリアを有する。ヘッダー部４１１は、ユニーク識別子の発番を行う組織を識別するコードを記憶する。企業コード部４１２は、ＲＦＩＤ４１を使用する企業または店舗等を特定する企業コードを記憶する。商品コード部４１３は、貼付された商品を特定する商品コードを記憶する。Ｃ／Ｄ部４１４は、ＲＦＩＤ４１に情報が正しく記憶されたか否かをチェックするためのチェックコードを記憶する。
【００３５】
実施形態では、店舗Ｔにおいて、または店舗ＴにＲＦＩＤ４１が搬入される際、ＲＦＩＤ４１の企業コード部４１２には、当該店舗Ｔを特定する企業コードが記憶される。そのため、当該店舗Ｔにおいて商品に貼付されているＲＦＩＤ４１には、当該店舗Ｔを特定する企業コードが記憶されている。
【００３６】
ＲＦＩＤ４１は、受信した精算情報を企業コード部４１２に書込み、書込みを完了した場合は書込み完了情報を、第１のＲＦＩＤリーダライタ１５または第２のＲＦＩＤリーダライタ１７に送信する。
【００３７】
図６の説明に戻る。制御部１００は、ＲＦＩＤ４１から書込み完了情報を受信したか否かを判断する（ステップＳ１６）。受信したと判断した場合は（ステップＳ１６のＹｅｓ）、制御部１００は、報知部１８から、ＲＦＩＤ４１に対して精算情報の書込みを完了したことを示すブザーを鳴らして、店員と顧客Ｐに報知する（ステップＳ１７）。そして当該商品の商品コードをＲＡＭ１１３の所定エリアに記憶する。（ステップＳ１８）。
【００３８】
また、ステップＳ１４においてＲＦＩＤ４１を検出していないと判断した場合は（ステップＳ１４のＮｏ）、制御部１００は、当該商品にはＲＦＩＤ４１が貼付されていないこと（すなわちＲＦＩＤ４１が剥がれている可能性があること）を示すメッセージを店員用表示部１２と顧客用表示部１３に表示する（ステップＳ２１）。この場合、店員は商品にＲＦＩＤ４１が貼付されていないことを確認して操作部１１に設けられたＯＫキー（図示せず）を操作することで、当該商品はＲＦＩＤ４１が貼付されていなくても商品登録可能となる。
【００３９】
制御部１００は、ＯＫキーが操作されたか否かを判断する（ステップＳ２２）。操作されるまで待機し（ステップＳ２２のＮｏ）、操作されたと判断した場合は（ステップＳ２２のＹｅｓ）、制御部１００は、ステップＳ１８の処理を実行する。なお、ステップＳ２２でＯＫキーが操作された商品の商品コードは記憶され、後に、ＲＦＩＤ４１が貼付されていなかった商品の管理情報として使用される。
【００４０】
また、ステップＳ１６において、ＲＦＩＤ４１から書込み完了情報を受信していないと判断した場合は（ステップＳ１６のＮｏ）、当該ＲＦＩＤ４１が故障している可能性があるため、制御部１００は、店員用表示部１２に、ＲＦＩＤ４１上に「精算済」シールを貼付することを店員に指示するメッセージを表示する（ステップＳ３１）。この表示を見た店員は、ＲＦＩＤ４１全体を覆うシールを貼付する。このシールは、ＲＦＩＤ４１を電波から遮断する機能を備えている。このシールを貼付されたＲＦＩＤ４１は、ゲート装置７等の外部からの信号に応答しない。そして制御部１００は、ＯＫキーが操作されたか否かを判断する（ステップＳ３２）。操作されるまで待機し（ステップＳ３２のＮｏ）、操作されたと判断した場合は（ステップＳ３２のＹｅｓ）、制御部１００は、ステップＳ１８を実行する。
【００４１】
また、ステップＳ１２において、入力された商品コードの商品がＲＦＩＤ４１による管理商品ではないと判断した場合は（ステップＳ１２のＮｏ）、制御部１００は、第１のＲＦＩＤリーダライタ１５または第２のＲＦＩＤリーダライタ１７を駆動して、ＲＦＩＤ４１に対して信号を送信し、商品コードが入力された商品にＲＦＩＤ４１が貼付されているか否かの問合せる（ステップＳ４１）。ＲＦＩＤ４１が貼付されていれば応答信号がＲＦＩＤ４１から出力され、貼付されていない場合は応答信号はＲＦＩＤ４１から出力されない。
【００４２】
制御部１００は、ＲＦＩＤ４１からの応答信号を受信することによってＲＦＩＤ４１の検知を判断する。制御部１００は、ＲＦＩＤ４１を検知したか否かを判断する（ステップＳ４２）。検知したと判断した場合は（ステップＳ４２のＹｅｓ）、制御部１００は、店員用表示部１２に、間違ってＲＦＩＤ４１が貼付された可能性があるため、ＲＦＩＤ４１を剥がすように指示するメッセージを店員に対して表示する（ステップＳ４３）。
【００４３】
メッセージを見た店員は、商品からＲＦＩＤ４１を剥がしてＯＫキーを操作する。制御部１００は、ＯＫキーが操作されたか否かを判断する（ステップＳ４４）。操作されるまで待機し（ステップＳ４４のＮｏ）、操作されたと判断した場合は（ステップＳ４４のＹｅｓ）、制御部１００は、ステップＳ１８の処理を実行する。なお、ステップＳ４２においてＲＦＩＤ４１を検知していないと判断した場合は（ステップＳ４２のＮｏ）、制御部１００はステップＳ１８を実行する。
【００４４】
また、ステップＳ１１において、商品コードの入力ではないと判断した場合は（ステップＳ１１のＮｏ）、制御部１００は、操作部１１に配置された小計キー（図示せず）が操作されたか否かを判断する（ステップＳ５１）。操作されたと判断した場合は（ステップＳ５１のＹｅｓ）、制御部１００は、専用回線９を介して、ステップＳ１８で記憶したすべての商品情報をＰＯＳ端末２に送信する（ステップＳ５２）。なお、小計キーが操作されていないと判断した場合は（ステップＳ５１のＮｏ）、制御部１００は、ステップＳ１１に戻って待機する。
【００４５】
このような実施形態によれば、スキャナ装置１の制御部１００は、商品コードが入力された商品に貼付されているＲＦＩＤ４１に対して、精算済を示す精算情報を送信するため、ＲＦＩＤ４１の企業コードに精算情報が上書きされ、当該精算情報が記憶される。
【００４６】
次に、図８と図９を用いてＰＯＳ端末２のハードウェア構成について説明する。図８は、ＰＯＳ端末２のハードウェア構成を示すブロック図である。図８において、ＰＯＳ端末２は、各部を制御するための制御部２００を備えている。制御部２００は、各部を集中的に制御するＣＰＵ２１１に、アドレスバス、データバス等のバスライン２１５を介して、ＲＯＭ２１２と、ＲＡＭ２１３を接続して構成されている。また、制御部２００は、バスライン２１５を介して、メモリ部２１４とコントローラ２１６を接続している。制御部２００は、ＣＰＵ２１１が、メモリ部２１４に記憶されＲＡＭ２１３に展開された制御プログラム２１４ａに従って動作することによって、後述する制御処理を実行する。
【００４７】
メモリ部２１４は、電源を切っても記憶情報が保持されるＨＤＤやフラッシュメモリ等の不揮発性メモリで構成されており、制御プログラム２１４ａを含むプログラム等を記憶する。
【００４８】
コントローラ２１６は、操作部２１、店員用表示部２２、顧客用表示部２３、印字部２４を接続している。コントローラ２１６は、制御部２００からの種々の指示に基づいて、操作部２１、店員用表示部２２、顧客用表示部２３、印字部２４を制御する。
【００４９】
また、制御部２００は、バスライン２１５を介して、ＬＡＮＩ／Ｆ２１７を接続している。ＬＡＮＩ／Ｆ２１７は、ＬＡＮ８を介してスキャナ装置１、ゲート装置７、店舗Ｔのバックヤードに設置されたＳＣ６等と接続している。各ＰＯＳ端末２は、売り上げられた商品情報を、ＬＡＮ８を介してＳＣ６に送信する。ＳＣ６は、受信した商品情報を管理する。
【００５０】
また、制御部２００は、バスライン２１５を介して、専用回線Ｉ／Ｆ２１８を接続している。専用回線Ｉ／Ｆ２１８は専用回線９を介して、スキャナ装置１と接続している。
【００５１】
図９は、メモリ部２１４に記憶されている商品マスタ２１４ｂを示す模式図である。図９において、商品マスタ２１４ｂは、商品コード部２１４ｂ１、商品名部２１４ｂ２、価格部２１４ｂ３、属性情報部２１４ｂ４、ＲＦＩＤ管理商品部２１４ｂ５を有する。
【００５２】
商品コード部２１４ｂ１は、商品を特定する商品コードを記憶する。商品名部２１４ｂ２は、商品コードで特定される商品の商品名を記憶する。価格部２１４ｂ３は、商品コードで特定される商品の価格を記憶する。属性情報部２１４ｂ４は、商品コードで特定される商品のその他の情報を記憶する。
【００５３】
ＲＦＩＤ管理商品部２１４ｂ５は、商品コードで特定される商品が、ＲＦＩＤ４１によって管理される商品であるか否かを記憶する。具体的には、ＲＦＩＤ４１によって管理される商品である場合はフラグ「１」が記憶される。ＲＦＩＤ４１によって管理されない商品である場合はフラグ「０」が記憶される。図９の例では、商品コード「００１」の商品と商品コード「００２」の商品は、ＲＦＩＤ管理商品部２１４ｂ５にフラグ「１」が記憶されている。よって、商品コード「００１」の商品と商品コード「００２」の商品は、ＲＦＩＤ４１によって管理される商品である。一方、商品コード「００３」の商品は、ＲＦＩＤ管理商品部２１４ｂ５にフラグ「０」が記憶されている。よって、商品コード「００３」の商品は、ＲＦＩＤ４１によって管理されない商品である。
【００５４】
次に、図１０のフローチャートに基づいて、ＰＯＳ端末２の制御処理について説明する。図１０において、制御部２００は、スキャナ装置１から専用回線９を介して一取引にかかる商品情報を入力したか否かを判断する（ステップＳ６１）。入力したと判断した場合は（ステップＳ６１のＹｅｓ）、制御部２００は、入力した商品情報をＲＡＭ２１３に記憶する（ステップＳ６２）。
【００５５】
また、商品情報が入力していないと判断した場合は（ステップＳ６１のＮｏ）、制御部２００は、操作部２１に配置された締めキー（図示せず）が操作されたか否かを判断する（ステップＳ７１）。操作されたと判断した場合（ステップＳ７１のＹｅｓ）、制御部２００は、ステップＳ６２でＲＡＭ２１３に記憶した商品情報に基づいて合計金額や釣銭額等を計算する決済処理を実行する（ステップＳ７２）。そして制御部２００は、決済処理した商品情報および決済情報をＳＣ６に送信して商品登録処理を実行する（ステップＳ７３）。また、締めキーが操作されていないと判断した場合は（ステップＳ７１のＮｏ）、制御部２００は、ステップＳ６１に戻って待機する。
【００５６】
次に、図１１〜図１４を用いてゲート装置７について説明する。図１１は、ゲート装置７の構成を示す斜視図である。図１１において、ゲート装置７は、一対のゲート７ａと制御装置７ｃを有する。一対のゲート７ａは、店舗Ｔの出口に、店舗の外側に向かって略平行に立設されている。また、一対のゲート７ａは、ＲＦＩＤリーダライタ３１９を内蔵している。また、一対のゲート７ａは、人感センサ３２０を、ゲート７ａの店舗Ｔ側の一端部に備えている。人感センサ３２０は、人が近づくとその人を感知して信号を出力する。実施形態では、これからゲート７ａを通過して店舗Ｔから矢印Ｙ２の方向に出ようとする顧客Ｐを感知する。制御装置７ｃは、人感センサ３２０から人が近づいたことを示す信号が入力されると、ＲＦＩＤリーダライタ３１９を制御して、ゲート７ａを通過するＲＦＩＤ４１を監視する。
【００５７】
図１２は、ゲート装置７のハードウェア構成を示すブロック図である。図１２において、ゲート装置７は、各部を制御するための制御部３００を備えている。制御部３００は、各部を集中的に制御するＣＰＵ３１１に、アドレスバス、データバス等のバスライン３１５を介して、ＲＯＭ３１２と、ＲＡＭ３１３を接続して構成されている。また、制御部３００は、バスライン３１５を介して、メモリ部３１４とコントローラ３１６を接続している。制御部３００は、ＣＰＵ３１１が、メモリ部３１４に記憶されＲＡＭ３１３に展開された制御プログラム３１４ａに従って動作することによって、後述する制御処理を実行する。
【００５８】
メモリ部３１４は、電源を切っても記憶情報が保持されるＨＤＤやフラッシュメモリ等の不揮発性メモリで構成されており、制御プログラム３１４ａを含むプログラム等を記憶する。
【００５９】
コントローラ３１６は、表示部３１７、報知部３１８、ＲＦＩＤリーダライタ３１９、人感センサ３２０を接続している。コントローラ３１６は、制御部３００からの種々の指示に基づいて、表示部３１７、報知部３１８、ＲＦＩＤリーダライタ３１９、人感センサ３２０を制御する。
【００６０】
また、制御部３００は、バスライン３１５を介して、ＬＡＮＩ／Ｆ３２１を接続している。ＬＡＮＩ／Ｆ３２１は、ＬＡＮ８を介してスキャナ装置１、ＰＯＳ端末２、店舗Ｔのバックヤードに設置されたＳＣ６等と接続している。なお、制御部３００、メモリ部３１４、コントローラ３１６、表示部３１７、報知部３１８、ＬＡＮＩ／Ｆ３２１等が制御装置７ｃを構成する。
【００６１】
次に、図１３と図１４を用いて、実施形態の退場検出装置であるゲート装置７の制御処理について説明する。図１３は、ゲート装置７の機能構成を示す機能ブロック図である。ゲート装置７の制御部３００は、ＣＰＵ３１１がメモリ部３１４に記憶された制御プログラム３１４ａ等のプログラムに従い動作することで、情報受信手段３０１、報知手段３０２を実現する。
【００６２】
情報受信手段３０１は、情報の読出し書込み可能なＲＦＩＤ４１から情報を受信する機能を有する。
【００６３】
報知手段３０２は、情報受信手段３０１が受信した情報に商品が精算済であることを示す精算情報が含まれていないと判断した場合に、その旨を報知する機能を有する。
【００６４】
図１４は、ゲート装置７の制御処理の流れを示すフローチャートである。図１４において、制御部３００は、人感センサ３２０が出口を通過する人を検知したか否かを判断する（ステップＳ８１）。通過する人を検知するまで待機し（ステップＳ８１のＮｏ）、検知したと判断した場合は（ステップＳ８１のＹｅｓ）、制御部３００は、ＲＦＩＤリーダライタ３１９からＲＦＩＤ４１に対し、記憶している情報の問合せ信号を送信する（ステップＳ８２）。
【００６５】
ゲート７ａを通過するＲＦＩＤ４１は、ＲＦＩＤリーダライタ３１９から送信された信号を受信すると、ＲＦＩＤ４１が記憶している情報を送信する。
【００６６】
制御部３００は、ＲＦＩＤ４１から情報を受信したか否かを判断する（ステップＳ８３）。受信するまで待機し（ステップＳ８３のＮｏ）、受信したと判断した場合は（ステップＳ８３のＹｅｓ）、制御部３００は、ＲＦＩＤ４１から受信した情報を解析する（ステップＳ８４）。すなわち、制御部３００は、受信した情報のうち、企業コード部４１２に記憶されている情報が、すべて精算済であることを示す情報であるか、また、自店舗の企業コードを示す情報が含まれているかを解析する。
【００６７】
そして制御部３００は、受信した情報が精算済を示す精算情報のみを含むか否かを判断する（ステップＳ８５）。具体的には、制御部３００は、受信した情報に企業コードを示すコードが含まれていないと判断した場合は、すべての情報が精算済を示す精算情報のみを含むと判断する。制御部３００が受信したすべての情報が精算済みを示す精算情報であると判断した場合は（ステップＳ８５のＹｅｓ）、制御部３００はそのまま処理を終了する。
【００６８】
一方、受信したすべての情報が精算済みを示す精算情報のみではないと判断した場合は（ステップＳ８５のＮｏ）、制御部３００は、受信した情報に自店舗を示す企業コードが含まれているか否かを判断する（ステップＳ８６）。自店舗の企業コードは、ゲート装置７のメモリ部３１４に記憶されており、制御部３００は、受信した企業コードとメモリ部３１４に記憶されている企業コードとを比較して、自店舗の企業コードであるか否かを判断する。
【００６９】
受信した情報に自店舗を示す企業コードが含まれていないと判断した場合は（ステップＳ８６のＮｏ）、制御部３００はそのまま処理を終了する。また、受信した情報に自店舗を示す企業コードが含まれていると判断した場合は（ステップＳ８６のＹｅｓ）、制御部３００は、報知部３１８からブザー音を報知する（ステップＳ８７）。
【００７０】
なお、受信した情報に、自店舗の企業コードは含まれていないが、他店舗の企業コードが含まれている場合は、制御部３００は、ステップＳ８６においてＮｏと判断し、ブザー音は報知しない。
【００７１】
また、実施形態において、当該店舗を自店舗とし、当該店舗以外を他店舗として説明したが、系列店の店舗を自店舗、それ以外を他店舗としてもよい。さらに、自社の店舗を自店舗、他社の店舗を他店舗としてもよい。自社の店舗を自店舗とし他社の店舗を他店舗とした場合、自社であることを示す自社コードを予め企業コード部４１２に記憶しておく。
【００７２】
このようなゲート装置７は、ゲート７ａを通過するすべてのＲＦＩＤ４１から、精算済の情報を受信した場合や、他店舗の企業コードを受信した場合は、報知部３１８からブザーを鳴らして報知しないが、自店舗の企業コードを受信した場合は報知部３１８からブザーを鳴らして報知する。したがって、ゲート装置７は、未精算の商品に対してブザーを鳴らすが、精算済の商品に対してブザーを鳴らすことがない。また、ゲート装置７は、他店舗から持ち込んだ商品に対してブザーを鳴らすこともない。
【００７３】
なお、実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００７４】
例えば、実施形態では、制御部３００は、ＲＦＩＤ４１から受信した情報に、精算済情報および自店舗の企業コードが含まれているか否かを判断したが、制御部３００は、企業コード部４１２に記憶されている情報が、精算済情報であるか否か、また自店舗の企業コードであるか否か、を判断してもよい。この場合、企業コード部４１２に記憶されている情報が精算済情報である場合は、制御部３００は、精算情報が含まれていると判断し、企業コード部４１２に記憶されている情報が精算済情報ではない場合、制御部３００は、精算情報が含まれていないと判断する。また、企業コード部４１２に記憶されている情報が自店舗を示す企業コードである場合は、制御部３００は、自店舗情報が含まれていると判断し、企業コード部４１２に記憶されている情報が自店舗を示す企業コードではない場合は、制御部３００は、自店舗情報が含まれていないと判断する。
【００７５】
また、実施形態では、退場検出装置として一対のゲート７ａを備えたゲート装置を用いて説明したが、ゲート７ａは片側だけに設けられてもよい。また、ゲート７ａは出口付近の天井にぶら下げて設置してもよい。さらに、退場検出装置は、ゲート装置以外に、例えば、出口付近の床に敷いた、アンテナを含むＲＦＩＤリーダライタ３１９を埋め込んだマットを含む構成としてもよい。
【００７６】
図１５に、退場検出装置としてのマット７ｄを用いた例を示す。図１５において、制御装置７ｃ、ＬＡＮ８、ＲＦＩＤリーダライタ３１９は、図１１および図１２と同一の構成であるため、その説明を省略する。
【００７７】
図１５において、マット７ｄは、例えば四角形状であり、カーペット生地やゴム素材で形成されている。マット７ｄは、内部にＲＦＩＤリーダライタ３１９が埋め込まれた構成である。マット７ｄは、店舗Ｔ内の出口付近に敷かれている。制御装置７ｃの制御部１００は、マット７ｄ上を通過するＲＦＩＤ４１に対して、図１３の制御と同等の制御を実行する。すなわち、顧客Ｐがマット７ｄ上を通過して店舗Ｔから矢印Ｙ２の方向に出ようとする場合、ＲＦＩＤリーダライタ３１９が、マット７ｄを通過するすべてのＲＦＩＤ４１から、精算済の情報を受信した場合や、他店舗の企業コードを受信した場合は、制御装置７ｃに内蔵された報知部３１８はブザーを鳴らして報知しないが、自店舗の企業コードを受信した場合は報知部３１８はブザーを鳴らして報知する。
【００７８】
このようにして、制御部１００は、マット７ｄを通過する未精算の商品に対してブザーを鳴らすが、マット７ｄを通過する精算済の商品に対してブザーを鳴らすことがない。また、制御部１００は、マット７ｄを通過する他店舗から持ち込んだ商品に対してブザーを鳴らすこともない。なお、マット７ｄは、必ずしも人感センサ３２０を備えていなくてもよい。この場合、制御部１００は、ステップＳ８１の制御は実行しない。
【００７９】
なお、実施形態では、ブザーを鳴らして報知したが、光を点灯させる等、ブザー以外の手法で報知してもよい。
【００８０】
実施形態の商品販売データ処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００８１】
また、実施形態の商品販売データ処理装置で実行されるプログラムを、インターネット等のネットワークに接続されたコンピュータ上に格納し、ネットワーク経由でダウンロードさせることにより提供するように構成してもよい。また、実施形態の商品販売データ処理装置で実行されるプログラムをインターネット等のネットワーク経由で提供または配布するように構成してもよい。
【００８２】
また、実施形態の商品販売データ処理装置で実行されるプログラムを、ＲＯＭ等に予め組み込んで提供するように構成してもよい。
【符号の説明】
【００８３】
１  スキャナ装置
２  ＰＯＳ端末
７  ゲート装置
１００  制御部
１０１  商品情報入力判断手段
１０２  精算情報送信手段
３００  制御部
３０１  情報受信手段
３０２  報知手段
【先行技術文献】
【特許文献】
【００８４】
【特許文献１】特開２０１３−０５４６４９号公報
【図１】
2015125755.tif 000003
【図２】
2015125755.tif 000004
【図３】
2015125755.tif 000005
【図４】
2015125755.tif 000006
【図５】
2015125755.tif 000007
【図６】
2015125755.tif 000008
【図７】
2015125755.tif 000009
【図８】
2015125755.tif 000010
【図９】
2015125755.tif 000011
【図１０】
2015125755.tif 000012
【図１１】
2015125755.tif 000013
【図１２】
2015125755.tif 000014
【図１３】
2015125755.tif 000015
【図１４】
2015125755.tif 000016
【図１５】
2015125755.tif 000017